(57)【特許請求の範囲】
【請求項１】
筐体の正面に設けられる撮影用のレンズ部と、
上記筐体の上面に設けられ、上記レンズ部を通じて撮影した被写体の画像を覗くためのビューファインダ部と、
上記筐体の背面に設けられる電池パックの装着部と、
上記ビューファインダ部を長手方向に摺動自在に支持すると共に、上記ビューファインダ部を、上記長手方向の、最も前記レンズ部寄りの第１の位置と、背面側に引き出した第２の位置に係止可能とするビューファインダ支持機構と、
を備え、
上記ビューファインダ部は、上記背面側であって上記装着部に装着された上記電池パックの上部の位置に接眼部を備え、
上記電池パックは、容量に応じた第１の厚さと、上記第１の厚さよりも厚い第２の厚さの電池パックが装着可能であり、
上記第１の位置は、上記第１の厚さの上記電池パックを上記装着部に装着した状態に対応した位置とされ、上記第２の位置は、上記第２の厚さの上記電池パックを上記装着部に装着した状態に対応した位置とされた
ビデオカメラ。
【請求項２】
請求項１に記載のビデオカメラにおいて、
上記ビューファインダ支持機構は、上記筐体に結合されたベース部材と、このベース部材に対して摺動自在に係合されて上記長手方向を含む垂直面内に回動自在に上記ビューファインダ部を支持する摺動部材と、この摺動部材と上記ベース部材とを契合するための弾性係合部材とを有し、
上記ビューファインダ部を上記筐体の背面方向に移動させたときは、上記筐体の上面の上記ビューファインダ部の移動跡を上記摺動部材の上面が閉塞するようにした
ビデオカメラ。
【請求項３】
請求項２に記載のビデオカメラにおいて、
上記筐体と上記ビューファインダ部とはフレキシブル基板で結ばれ、上記摺動部材により、上記フレキシブルを隠すようにした
ビデオカメラ。
【発明の詳細な説明】
【０００１】
【発明の属する技術分野】
この発明は、ビデオカメラに関し、特に、そのビューファインダ支持機構に関する。
【０００２】
【従来の技術】
従来、例えば、図４に示すように、民生用のビデオカメラ１０において、筐体１１の正面（図では右奥側）に撮影用のレンズ部１２を配設し、このレンズ部１２を通じて撮影した被写体の画像を覗くビューファインダ部１３を筐体１１の上面に配設すると共に、筐体１１の背面（図では左手前側）に所定の電池パック１４Ｎを装着したものがある。
【０００３】
この電池パック１４Ｎには、重量当たりおよび体積当たりのエネルギー密度が大きい、リチウムイオン蓄電池が収納されており、例えば、１時間を超える連続撮影が可能とされる。
【０００４】
また、標準型の電池パック１４Ｎに代えて、より容量が大きい電池パックを装着することにより、例えば、数時間に亘る連続撮影をすることができる。
【０００５】
そして、長時間用の電池パックには、例えば、大容量と中容量の２種類があり、撮影状況に応じて選択することができる。
【０００６】
なお、長時間用の電池パックは、ビデオカメラとの対接面が標準型の電池パックの対接面と同寸法とされ、容量に応じて厚さが大きくなる。
【０００７】
【発明が解決しようとする課題】
ところで、前述のようなビデオカメラによる撮影の際には、使用者が、目をビューファインダ１３の接眼部１３ｅに押し当てて、撮影した被写体の画像を覗くのが一般的である。
【０００８】
ところが、前述のようなビデオカメラ１０の背面に長時間用の電池パックを装着した場合は、使用者がビューファインダを覗く際に、厚さが大きい電池パックの背面に顔が当たってしまい、ビューファインダを覗きにくく、ビデオカメラが使いにくくなるという問題があった。
【０００９】
かかる点に鑑み、この発明の目的は、ビデオカメラの背面に大容量の電池パックを取り付けたときにも、使用者がビューファインダを覗きやすいようにした、ビデオカメラを提供するところにある。
【００１０】
【課題を解決するための手段】
前記課題を解決するため、請求項１の発明によるビデオカメラは、
筐体の正面に設けられる撮影用のレンズ部と、
上記筐体の上面に設けられ、上記レンズ部を通じて撮影した被写体の画像を覗くためのビューファインダ部と、
上記筐体の背面に設けられる電池パックの装着部と、
上記ビューファインダ部を長手方向に摺動自在に支持すると共に、上記ビューファインダ部を、上記長手方向の、最も前記レンズ部寄りの第１の位置と、背面側に引き出した第２の位置に係止可能とするビューファインダ支持機構と、
を備え、
上記ビューファインダ部は、上記背面側であって上記装着部に装着された上記電池パックの上部の位置に接眼部を備え、
上記電池パックは、容量に応じた第１の厚さと、上記第１の厚さよりも厚い第２の厚さの電池パックが装着可能であり、
上記第１の位置は、上記第１の厚さの上記電池パックを上記装着部に装着した状態に対応した位置とされ、上記第２の位置は、上記第２の厚さの上記電池パックを上記装着部に装着した状態に対応した位置とされた
ことを特徴とするものである。
【００１１】
かかる構成の請求項１の発明によるビデオカメラにおいては、筐体の背面に装着される電源部の厚さなどに応じて、ビューファインダ支持機構で、それぞれ最適位置にビューファインダ部を摺動・係止することにより、ビューファインダ部を使い易くすることができる。
【００１２】
また、請求項２の発明によるビデオカメラは、
請求項１に記載のビデオカメラにおいて、
上記ビューファインダ支持機構は、上記筐体に結合されたベース部材と、このベース部材に対して摺動自在に係合されて上記長手方向を含む垂直面内に回動自在に上記ビューファインダ部を支持する摺動部材と、この摺動部材と上記ベース部材とを係合するための弾性係合部材とを有し、
上記ビューファインダ部を上記筐体の背面方向に移動させたときは、上記筐体の上面の上記ビューファインダ部の移動跡を上記摺動部材の上面が閉塞するようにした
ことを特徴とするものである。
【００１３】
かかる構成の請求項２の発明によるビデオカメラにおいては、複数の最適使用位置で、ビューファインダ部をクリックストップおよびチルトアップすることができると共に、ビューファインダ部を筐体の背面方向に移動させた跡を摺動部材の上面が閉塞することにより、筐体内への異物の侵入が防止され、かつ、ビューファインダと本体を結ぶフレキシブル基板などの内容物を隠すことができる。
【００１６】
【発明の実施の形態】
以下、図１〜図３を参照しながら、この発明によるビデオカメラの実施の形態について説明する。
【００１７】
［実施の形態の構成］
この発明の実施の形態の要部の構成を図１および図２に示す。
【００１８】
図１および図２において、ビューファインダ１３を摺動自在に支持するための、支持機構２０は、主として、ベース部材２１と、第１および第２の摺動部材２２，２３とから構成される。
【００１９】
ベース部材２１は、概ね上が開いた「コ」字状に形成されると共に、第１および第２の摺動部材２２，２３は、下が開いた「コ」字状および「Ｃ」字状にそれぞれ形成されて、図１に示すように、ベース部材２１の内側に、第１の摺動部材２２が配設され、この摺動部材２２の更に内側に、第２の摺動部材２３が配設される。
【００２０】
ベース部材２１では、手前側の側壁２１ｆの上部と下部とに、水平方向に２本の案内溝２１ａ，２１ｂが設けられると共に、奥側の側壁２１ｒの上部と下部とにも、水平方向に２本の案内溝２１ｃ，２１ｄが設けられ、図２に示すように、ベース部材２１の底板２１ｕのレンズ側の端部に、上向きの係止片２１ｅが形成される。
【００２１】
また、手前側の側壁２１ｆがレンズ側（図では左側）に延伸されて「コ」字状に折り曲げられると共に、奥側の側壁２１ｒもレンズ側に延伸されて「コ」字状に折り曲げられる。側壁２１ｆの延伸部の上下の折り曲げ片２１ｇ，２１ｈと、側壁２１ｒの延伸部の上下の折り曲げ片２１ｊ，２１ｋとは、それぞれ水平に整列して対向し、下側の折り曲げ片２１ｋのレンズ側の端部に上向きの係止片２１ｍが形成される。
【００２２】
そして、図２に示すように、手前側の側壁２１ｆには、案内溝２１ａ，２１ｂの中間に水平方向に整列して、３個の係止孔２１ｎ，２１ｐ，２１ｑが設けられると共に、奥側の側壁２１ｒにも、案内溝２１ｃ，２１ｄの中間に水平方向に整列して、３個の係止孔２１ｓ，２１ｖ，２１ｗが設けられる。
【００２３】
なお、ベース部材２１は、ビデオカメラの筐体の内部において、主要機構部（図示は省略する）に適宜に結合されており、ベース部材２１と筐体との相対位置は変化しない。
【００２４】
一方、第１の摺動部材２２では、図２にも示すように、目隠し部となる上板２２ｔに連なる、手前側の側壁２２ｆのレンズ側の上部に透孔２２ａが設けられると共に、ビューファインダ側（図では右側）に「Ｌ」字状に形成された延伸部２２ｇの下部に透孔２２ｂが設けられる。これらの透孔２２ａ，２２ｂは、ベース部材２１の側壁２１ｆの上下の案内溝２１ａ，２１ｂに対応する。
【００２５】
同様に、奥側の側壁２１ｒのレンズ側の上部に透孔２２ｃが設けられると共に、ビューファインダ側に「Ｌ」字状に形成された延伸部２２ｓの下部に透孔２２ｄが設けられる。これらの透孔２２ｃ，２２ｄは、ベース部材２１の側壁２１ｒの上下の案内溝２１ｃ，２１ｄに対応する。
【００２６】
また、両延伸部２２ｇ，２２ｓの上部には、それぞれ透孔２２ｈ，２２ｊが設けられる。これらの透孔２２ｈ，２２ｊは、矢印Ｒで示すような、ビューファインダ１３の回動軸に対応する。
【００２７】
そして、手前側の側壁２２ｆのレンズ側の下部に凹部２２ｋが設けられて、この凹部に水平方向に整列して、２個の係止孔２２ｍ，２２ｎが設けられると共に、レンズ側寄りに２個の透孔２２ｐ，２２ｑが設けられる。奥側の側壁２２ｒのレンズ側の下部に、一部の図示と符号は省略するが、同様の凹部ならびに係止孔および透孔が設けられる。
【００２８】
更に、第２の摺動部材２３では、目隠し部となる上板２３ｔに連なる、手前側および奥側の側壁２３ｆ，２３ｒの下端部が内側に折り曲げられて、水平に整列して対向する折り曲げ片２３ｈ，２３ｋが形成される。
【００２９】
これらの折り曲げ片２３ｈ，２３ｋは、組み立て時、ベース部材２１の下側の折り曲げ片２１ｈ，２１ｋの上面に対接する。なお、折り曲げ片２３ｋのレンズ側は、手前方向に「Γ」字状に延伸される。
【００３０】
また、手前側の側壁２３ｆの上部に、水平方向に案内溝２３ｐが設けられると共に、側壁２３ｆの下部には、水平方向に整列して、２個の係止孔２３ｎ，２３ｑが設けられる。奥側の側壁２３ｒにも、一部の図示と符号は省略するが、案内溝２３ｖと２個の係止孔が設けられる。
【００３１】
第２の摺動部材２３の側壁２３ｆの案内溝２３ｐと係止孔２３ｎ，２３ｑとは、第１の摺動部材２２の側壁２２ｆの凹部２２ｋのレンズ側に設けた２個の透孔２２ｐ，２２ｑにそれぞれ対応する。
【００３２】
そして、第１の摺動部材２２の手前側の側壁２２ｆの凹部２２ｋは、一方の板ばね２４ｆを収容するために形成され、凹部２２ｋの係止孔２２ｍ，２２ｎには、図２に鎖線で示すように、板ばね２４ｆの係合部２４ａ，２４ｂが適宜に結合されて、その中間の係合突起２４ｃが外向きに張り出される。
【００３３】
また、板ばね２４ｆのレンズ側に設けた係合部２４ｄは、摺動部材２２の側壁２２ｆの凹部２２ｋの下側の透孔２２ｑを通じて、摺動部材２２の側壁２２ｆの内側で、内向きに張り出される。同様に、他方の板ばね２４ｒも、奥側の側壁２２ｒの凹部（符号は省略）に結合される。
【００３４】
図１に示すように、ベース部材２１の手前側の側壁２１ｆの案内溝２１ａ，２１ｂに手前側から挿通された摺動支軸２５ａ，２５ｂは、図２に鎖線で示すように、第１の摺動部材２２の手前側の側壁２２ｆの透孔２２ａ，２２ｂに結合される。同様に、摺動支軸２５ｃ，２５ｄは、ベース部材２１の奥側の側壁２１ｒの案内溝２１ｃ，２１ｄに奥側から挿通されて、摺動部材２２の奥側の側壁２２ｒの透孔２２ｃ，２２ｄに結合される。
【００３５】
これにより、第１の摺動部材２２は、ベース部材２１の内側で、４つの摺動支軸２５ａ〜２５ｄに支えられて、図１に示した矢印Ｈの方向に、摺動自在に結合される。
【００３６】
また、第２の摺動部材２３の両側壁２３ｆ，２３ｒの案内溝２３ｐ，２３ｖには、図２に鎖線で示すように、いずれも内側から摺動支軸２５ｐ，２５ｖが挿通されて、第１の摺動部材２２の両凹部のレンズ側寄りに設けられた透孔２２ｐ，２２ｖに結合される。
【００３７】
これにより、第２の摺動部材２３は、第１の摺動部材の内側で、摺動支軸２５ｐ，２５ｖに支えられると共に、第２の摺動部材２３の折り曲げ片２３ｈ，２３ｋがベース部材２１の折り曲げ片２１ｈ，２１ｋに支えられて、図１に示した矢印Ｈの方向に、摺動自在に結合される。
【００３８】
そして、第１の摺動部材２２の両側壁２２ｆ，２２ｒの延伸部２２ｇ，２２ｓの透孔２２ｈ，２２ｊに、ファインダ結合金具（図示は省略）を介して、それぞれ内側から回動支軸２５ｈ，２５ｊが結合されると共に、ファインダ結合金具には、ビューファインダ１３が適宜に結合される。
【００３９】
これにより、ビューファインダ１３は、図１の矢印Ｒで示すように、第１の摺動部材２２の後端部に回動自在に結合されて、ビューファインダ１３の後端部が上がった、いわゆる、チルトアップ状態とすることができる。
【００４０】
［実施の形態のビューファインダの変位］
次に、図３をも参照しながら、この発明の実施の形態のビューファインダの変位について説明する。
【００４１】
この実施の形態のビデオカメラの背面に標準型の電池パック１４Ｎを装着した場合、図３Ａに示すように、ビューファインダ１３は、筐体１１に対して最もレンズ側寄りの、基準位置にある。
【００４２】
ビューファインダ１３が基準位置にある状態では、前述のビューファインダ支持機構２０は、第１の摺動部材２２がレンズ側に限度まで押し込まれている。
【００４３】
即ち、基準位置では、第１の摺動部材２２の両側壁２２ｆ，２２ｒの透孔２２ａ〜２２ｄに結合された摺動支軸２５ａ〜２５ｄが、ベース部材２１の両側壁２１ｆ，２１ｒに設けられた案内溝２１ａ〜２１ｄのレンズ側端縁に当接する。
【００４４】
また、第１の摺動部材２２の両側壁２２ｆ，２２ｒのレンズ側寄りに設けた透孔２２ｐ，２２ｖに結合された摺動支軸２５ｐ，２５ｖが、第２の摺動部材２３の両側壁２３ｆ，２３ｒに設けられた案内溝２３ｐ，２３ｖのレンズ側端縁に当接すると共に、第２の摺動部材２３の奥側折り曲げ片２３ｋのレンズ側端縁が、ベース部材２１の奥側の側壁２１ｒの下側折り曲げ片２１ｋに形成された係止片２１ｍに当接する。
【００４５】
そして、ベース部材２１の手前側の側壁２１ｆのレンズ側寄りに設けた係止孔２１ｎに、一方の板ばね２４ｆの係合突起２４ｃが弾性的に係合すると共に、他方の板ばね２４ｒの係合突起（図示は省略）も、ベース部材２１の奥側の側壁２１ｒのレンズ側寄りに設けた係止孔２１ｓに弾性的に係合して、ベース部材２１と第１の摺動部材２２との間で、クリックストップ状態が得られる。
【００４６】
更に、一方の板ばね２４ｆのレンズ側の係合部２４ｄが、第２の摺動部材２３の手前側の側壁２３ｆのレンズ側の係止孔２３ｎに弾性的に係合すると共に、他方の板ばね２４ｒのレンズ側の係合部（符号は省略）も、第２の摺動部材２３の奥側の側壁２３ｒの対応部に弾性的に係合して、両摺動部材２２，２３の間でもクリックストップ状態が得られる。
【００４７】
なお、この基準状態で、ベース部材２１の上側折り曲げ片２１ｇ，２１ｊには、第１の摺動部材２２の上板２２ｔが対接し、ベース部材２１の下側折り曲げ片２１ｈ，２１ｋには、第１の摺動部材２２の両側壁２２ｆ，２２ｒのレンズ寄りの下側端縁と、第２の摺動部材２３の下側折り曲げ片２３ｈ，２３ｋとが対接すると共に、第２の摺動部材２３の上板２３ｔは第１の摺動部材２２の上板２２ｔに内側から対接する。
【００４８】
図３Ｂに示すように、この実施の形態のビデオカメラの背面に、中級の容量と厚さの電池パック１４Ｐを装着した場合は、ビューファインダ１３が、基準位置から中間位置まで引き出される。そして、ビューファインダ１３が移動した跡は、ビューファインダ１３に追従して引き出された、第１の摺動部材２２の上板２２ｔによって塞がれて、筐体内への異物の侵入が防止される。
【００４９】
即ち、上述した基準位置からビューファインダ１３が引き出されると、このビューファインダ１３と結合されている第１の摺動部材２２が追従して引き出される。これに伴って、両側壁２２ｆ，２２ｒに固定された板ばね２４ｆ，２４ｒの係合突起（２４ｃなど）と、ベース部材２１の両側壁２１ｆ，２１ｒのレンズ側の係止孔２１ｎ，２１ｓとの係合が外れ、板ばね２４ｆ，２４ｒの係合突起（２４ｃなど）と、ベース部材２１の両側壁２１ｆ，２１ｒとの間に、クリックストップ状態で生ずる抗力より一段と小さい、所要の摩擦力が弾性的に得られる。
【００５０】
また、第１の摺動部材２２と第２の摺動部材２３とは、前述のように、板ばね２４ｆ，２４ｒのレンズ側の係合部（２４ｄなど）により、弾性的に係合されており、第２の摺動部材２３も第１の摺動部材２２に追従して引き出される。
【００５１】
そして、板ばね２４ｆ，２４ｒの係合突起（２４ｃなど）が、ベース部材２１の両側壁２１ｆ，２１ｒの中間部の係止孔２１ｐ，２１ｖまで引き出されて係合すると、ベース部材２１と第１の摺動部材２２との間で、クリックストップ状態が得られる。
【００５２】
図３Ｃに示すように、この実施の形態のビデオカメラの背面に、最大級の容量と厚さの電池パック１４Ｑを装着した場合は、ビューファインダ１３が最長位置まで引き出される。そして、ビューファインダ１３が移動した跡は、ビューファインダ１３に追従して引き出された、第１および第２の摺動部材２２，２３の上板２２ｔ，２３ｔによって塞がれて、筐体内への異物の侵入が防止される。
【００５３】
即ち、ビューファインダ１３が上述した中間位置から更に引き出されるときは、第２の摺動部材２３の奥側折り曲げ片２３ｋに形成された延伸部のビューファインダ側端縁（いずれも無符号）が、ベース部材２１の底板２１ｕに形成された係止片２１ｅに当接する。
【００５４】
そして、第２の摺動部材２３のレンズ側の係止孔（２３ｎなど）と、第１の摺動部材２２に結合された板ばね２４ｆ，２４ｒのレンズ側の係合部（２４ｄなど）との係合が外れて、第１の摺動部材２２だけがビューファインダ１３に追従して引き出される。
【００５５】
前述と同様に、両側壁２２ｆ，２２ｒに固定された板ばね２４ｆ，２４ｒの係合突起（２４ｃなど）が、ベース部材２１の両側壁２１ｆ，２１ｒの中間部の係止孔２１ｐ，２１ｖから外れたことにより、ベース部材２１と第１の摺動部材２２との間で、所要の摩擦力が弾性的に得られる。
【００５６】
図３Ｃに示すような最長位置まで、ビューファインダ１３が引き出されると、第１の摺動部材２２の両側壁２２ｆ，２２ｒの透孔２２ａ〜２２ｄに結合された摺動支軸２５ａ〜２５ｄが、ベース部材２１の両側壁２１ｆ，２１ｒの案内溝２１ａ〜２１ｄのファインダ側端縁に当接する。
【００５７】
また、第１の摺動部材２２に結合された板ばね２４ｆ，２４ｒの係合突起（２４ｃなど）が、ベース部材２１の両側壁２１ｆ，２１ｒのビューファインダ寄りの係止孔２１ｑ，２１ｗと係合して、ベース部材２１と第１の摺動部材２２との間で、クリックストップ状態が得られる。
【００５８】
そして、板ばね２４ｆ，２４ｒのレンズ側の係合部（２４ｄなど）が、第２の摺動部材２３の側壁２３ｆ，２３ｒのビューファインダ側の係止孔（２３ｑなど）と弾性的に係合して、両摺動部材２２，２３の間でもクリックストップ状態が得られる。
【００５９】
上述のように、この実施の形態では、ビデオカメラの背面に３種類の容量と厚さの電池パック１４Ｎ，１４Ｐ，１４Ｑを装着したときに、図３Ａ，Ｂ，Ｃに示すように、各電池パック１４Ｎ，１４Ｐ，１４Ｑの厚さに応じて、ビューファインダ１３を引き出すすることにより、その接眼部１３ｅを各電池パック１４Ｎ，１４Ｐ，１４Ｑの背面から適宜に離すことができて、使用者がビューファインダを覗きやすくなる。
【００６０】
また、第１および第２の摺動部材２２，２３を２重構成とすることにより、摺動部材、ひいては、ビューファインダ支持機構全体の長手方向の寸法を短縮することができる。
【００６１】
そして、ベース部材２１および第１の摺動部材２２の係合、ならびに、第１および第２の摺動部材２２，２３の係合に、共通の板ばね２４ｆ，２４ｒを用いる
【００６２】
図３Ｃに示すような最長位置から、図３Ｂに示すような中間位置まで戻す場合は、第１の摺動部材２２のレンズ側への押し込みに伴い、まず、板ばね２４ｆ，２４ｒの係合突起（２４ｃなど）と、ベース部材２１の両側壁２１ｆ，２１ｒのビューファインダ寄りの係止孔２１ｑ，２１ｗとの係合が外れる。
【００６３】
こうして、ビューファインダ寄りで、ベース部材２１と第１の摺動部材２２とのクリックストップが解除された状態でも、板ばね２４ｆ，２４ｒのレンズ側の係合部（２４ｄなど）が、第２の摺動部材２３の側壁２３ｆ，２３ｒのビューファインダ側の係止孔（２３ｑなど）と弾性的に係合しているので、両摺動部材２２，２３の間ではクリックストップ状態が保たれ、両摺動部材２２，２３は、一体的に、図３Ｂに示す中間位置まで戻される。
【００６４】
この中間位置では、第２の摺動部材２３の奥側折り曲げ片２３ｋのレンズ側端縁が、ベース部材２１の奥側の側壁２１ｒの下側折り曲げ片２１ｋに形成された係止片２１ｍに当接して、板ばね２４ｆ，２４ｒのレンズ側の係合部（２４ｄなど）と、第２の摺動部材２３の側壁２３ｆ，２３ｒのビューファインダ側の係止孔（２３ｑなど）との係合が外れる。
【００６５】
また、板ばね２４ｆ，２４ｒの係合突起（２４ｃなど）は、ベース部材２１の両側壁２１ｆ，２１ｒの中間の係止孔２１ｐ，２１ｖと係合して、ベース部材２１と第１の摺動部材２２とがクリックストップ状態となる。
【００６６】
図３Ｂに示すような中間位置から、図３Ａに示すような基準位置まで戻す場合には、第２の摺動部材２３は、その奥側折り曲げ片２３ｋのレンズ側端縁が、ベース部材２１の下側折り曲げ片２１ｋの係止片２１ｍに当接したままで、移動できない。そして、第１の摺動部材２１だけが、板ばね２４ｆ，２４ｒの係合突起（２４ｃなど）と、ベース部材２１の中間の係止孔２１ｐ，２１ｖとの係合による、クリックストップ状態を解除されて、図３Ａに示すような基準位置まで移動して、前述のような基準位置におけるクリックストップ状態に復する。
【００６７】
【発明の効果】
以上説明したように、請求項１の発明によれば、筐体背面に装着する電源部の厚さなどに応じた最適位置でビューファインダを使用することができる。
【００６８】
また、請求項２の発明によれば、複数の最適使用位置で、ビューファインダをクリックストップおよびチルトアップすることができると共に、筐体内への異物の侵入を防止することができる。
【００６９】
また、請求項３の発明によれば、ビューファインダ支持機構の長手方向の寸法を短縮することができると共に、コストを低減することができる。
【図面の簡単な説明】
【図１】この発明によるビデオカメラの実施の形態の要部の構成を示す斜視図である。
【図２】この発明の実施の形態の要部の構成を示す分解斜視図である
【図３】この発明の実施の形態のビューファインダの変位を説明するための平面図である。
【図４】この発明を説明するための斜視図である。
【符号の説明】
１０…ビデオカメラ、１１…筐体、１２…レンズ部、１３…ビューファインダ部、１４Ｎ、１４Ｐ、１４Ｑ…電池パック（電源部）、２０…ビューファインダ支持機構、２１…ベース部材、２１ａ〜２１ｄ…案内溝、２１ｎ，２１ｐ，２１ｑ，２１ｓ，２１ｖ，２１ｗ…係止孔、２２，２３…摺動部材、２２ｔ，２３ｔ…目隠し部（上板）、２３ｐ，２３ｖ…案内溝、２４ｆ，２４ｒ…板ばね、２５ａ〜２５ｄ…摺動支軸、２５ｈ，２５ｊ…回動支軸、２５ｐ，２５ｖ…摺動支軸
【図１】
0004139928.tif 000002
【図２】
0004139928.tif 000003
【図３】
0004139928.tif 000004
【図４】
0004139928.tif 000005